Podtech/llm-jp-corpus-v4-ja_patent huggingface dataset:
(57)【要約】【課題】超音波送受波器の圧電体と金属部材の接着において、その接着面の表面処理は従来ケミカルエッチング、サンドブラスト等が行われていが、接着面の表面にコンタミ・ブラストのビーズ等が残り、接着において接着強度にばらつきを生じ、超音波の送信，受信特性が安定しないという問題があった。【解決手段】圧電体を接着する金属部材面にレーザーを照射することにより接着面の表面にコンタミ・ブラストのビーズ等を残すことなく均一的に荒らすことで、接着強度を安定させ、超音波の送信，受信特性を安定させることができる。【選択図】            図１
2007060340.tif 000002
【特許請求の範囲】
【請求項１】
圧電体を接着する金属部材において、圧電体を接着する金属表面にレーザーを照射することにより、表面を均一的に荒らす処理を行なうことを特徴とした超音波送受波器。
【発明の詳細な説明】
【技術分野】
【０００１】
本発明は、超音波周波数帯の送信、受信を行う超音波送受波器に関するものである。
【背景技術】
【０００２】
開口型の超音波送受波器の概略構造断面図を図７に、圧電体と金属板との貼り合わせ概略図を図８に示す。防滴型の超音波送受波器の概略構造断面図を図９に、圧電体と金属ケースとの貼り合わせ概略図を図１０に示す。図８，図１０に示す圧電体と金属板，圧電体と金属ケースとの貼合わせにおいて、その金属面は従来ケミカルエッチング、サンドブラスト等で荒らした後圧電体の接着を行っていた。しかし、ケミカルエッチングで金属面を荒らした物ではコンタミ等が、サンドブラストで金属面を荒らした物ではブラストに用いたビーズ等が金属面に残り、接着の際に接着剤の層の厚さ，接着剤強度にばらつきを生じ、超音波の送信，受信特性の安定性が悪いという問題があった。
【非特許文献１】実用新案登録公報第３０３９０５６号
【発明の開示】
【発明が解決しようとする課題】
【０００３】
開口型超音波送受波器，防滴型超音波送受波器の圧電体と金属部材との接着において、接着層の厚さ，接着強度のばらつきによる超音波の送信・受信特性の不安定性を解消させる。
【課題を解決するための手段】
【０００４】
圧電体を接着する金属部材面を荒らす際、レーザーを照射する事により表面を荒らすことで、金属表面にコンタミやビーズ等を残すことなく均一的に荒らすことができ、接着層の厚さ・接着強度を安定させる。
【発明の効果】
【０００５】
圧電体を接着する金属部材面を、レーザーを照射する事により均一的に荒らし、圧電体を接着する。
【発明を実施するための最良の形態】
【０００６】
圧電体を接着する金属部材面を、レーザーを照射する事により均一的に荒らし、圧電体を接着する。
【実施例】
【０００７】
本考案を図１，図２，図３，図４，図５を用いて説明する。
本考案の実施例を示す金属板と圧電体との貼合わせ概略図を図１に、又、その拡大図を図２に示す。図２に示す通り、圧電体を接着する金属部材の面をレーザーを照射する事により均一的に荒らすことにより圧電体と金属部材の面を接着する接着剤は金属部材の均一的に荒れた面にくい込み、かつ、接着剤の層は薄く安定する。さらに、接着される金属部材の面が均一的に荒らされることにより、接着時、圧電素子電極と金属部材の導通を取ることが容易となり安定する。
従来の金属板と圧電体との貼合わせ概略図を図３に示す。エッチングで金属部材の面を荒らした場合は、図４に示す通りコンタミ等が接着剤と金属表面の間に入り、接着できない事があり、又、サンドブラスト等で金属部材の面を荒らした場合は、図５に示す通り除去できなかったブラストのビーズ等を挟んでしまい、接着できないことがあった。
さらに、図６に示すごとく、金属部材と付加振動子を接着する部分にも適応が可能であり、特性の安定化に効果がある。
【産業上の利用可能性】
【０００８】
本発明はユニモルフ振動子を用いた超音波センサが使用されている様々な分野に適用できる。
【図面の簡単な説明】
【０００９】
【図１】本考案の実施例を示す金属板と圧電体との貼合わせ概略図
【図２】図１の拡大図
【図３】従来の金属板と圧電体との貼合わせ概略図
【図４】ケミカルエッチングの場合の図３の拡大図
【図５】サンドブラスト等の場合の図３の拡大図
【図６】本考案のその他の実施例を示す付加振動子と金属板との貼合わせ斜視図
【図７】開口型の超音波送受波器の概略構造断面図
【図８】開口型超音波送受波器の金属板と圧電体との貼合わせ斜視図
【図９】防滴型の超音波送受波器の概略構造断面図
【図１０】防滴型超音波送受波器の金属ケースと圧電体との貼合わせ概略図
【符号の説明】
【００１０】
１    金属板
２    圧電体
３    ユニモルフ振動子
４    端子板
５    電極端子
６    電極端子
７    付加振動子
８    ケース
９    リード線
１０  リード線
１１  金属ケース
１２  充填剤
１３  吸音材
１４  ワイヤコネクタ
１５  接着剤
１６  圧電素子
１７  素子電極
１８  表面荒し面
１９  コンタミ等
２０  ブラストビーズ等
【図１】
2007060340.tif 000003
【図２】
2007060340.tif 000004
【図３】
2007060340.tif 000005
【図４】
2007060340.tif 000006
【図５】
2007060340.tif 000007
【図６】
2007060340.tif 000008
【図７】
2007060340.tif 000009
【図８】
2007060340.tif 000010
【図９】
2007060340.tif 000011
【図１０】
2007060340.tif 000012
(57)【要約】【課題】ダイオードを利用して、複数の入力信号の混信を防ぐ回路を提供する。【解決手段】初段の真空管のバイアス抵抗とアース間にダイオードを接続して左右チャンネルの入力信号を混信させないことを特徴とする入力回路【選択図】    図１
2007060598.tif 000002
【特許請求の範囲】
【請求項１】
ステレオアンプの初段における真空管のバイアス抵抗とアースの間に、ダイオードを接続することを特徴とする高忠実度入力回路。
【発明の詳細な説明】
【技術分野】
【０００１】本発明はステレオプリアンプおよびパワーアンプの高忠実度入力回路に関するものである。
【背景技術】
【０００２】従来のステレオプリアンプとパワーアンプの接続においては、信号の帰路の接続線は電気的にみるとアースが共通なので並列接続となり、接続線の抵抗が共通インピーダンスとなっていた。
【発明の開示】
【発明が解決しようとする課題】
【０００３】従来の回路がもつ、共通インピーダンスで左右チャンネルの信号の混信があり、クロストークと音の分解能が悪かった。本発明はこれらの問題点を解決するためになされたものである。
【課題を解決するための手段】
【０００４】左右チャンネルの真空管のバイアス抵抗とアース間にダイオードを挿入し、バイアス抵抗とダイオードのアノードの接続点に帰路の接続線を接続した、高忠実度入力回路である。
【発明の効果】
【０００５】左右チャンネルの帰路の接続はダイオードの作用により並列接続にならないので共通インピーダンスが無い。
【発明を実施するための最良の形態】
【０００６】以下本発明の実施の回路について説明する。
（イ）  ダイオード（１）のアノードを真空管（ａ）のバイアス抵抗（３）のアース側に接続しカソードをアースする。左チャンネルの信号の帰路の接続線をダイオード（１）と真空管（ａ）のバイアス抵抗（３）の接続点に接続する。
（ロ）  ダイオード（２）のアノードを真空管（ｂ）のバイアス抵抗（４）アース側に接続しカソードをアースする。
（ハ）  抵抗（７）をダイオード（１）のアノードとバイアス抵抗（３）の接続点に接続する。
（ニ）  抵抗（８）をダイオード（２）のアノードとバイアス抵抗（４）の接続点に接続する。
（ホ）  抵抗（５）は左チャンネルの入力抵抗とする。抵抗（６）は右チャンネルの入力抵抗とする。
本発明は以上の構成からなるので本発明を使用するときは左右チャンネルのダイオード（１）（２）のオフセット電圧の特性が直線性の良い動作環境で動作するようにブリーダー抵抗（７）（８）でブリーダー電流を調整する。
【図面の簡単な説明】
【０００７】
【図１】      本発明の回路図
【符号の説明】
【０００８】          ａ  真空管
ｂ  真空管
１  ダイオード
２  ダイオード
３  抵抗
４  抵抗
５  抵抗
６  抵抗
７  抵抗
８  抵抗
【図１】
2007060598.tif 000003
(57)【要約】【課題】気象データに応じて自動的に、カメラで撮影する映像の画質、配信レートを変更する、気象データに連動したカメラシステムを提供する。【解決手段】入力された気象データと設定されたしきい値との比較を行い、しきい値を超えた場合に、カメラ１で撮影する映像の画質、配信レートの設定を高画質、配信レート増加の設定へ変更を行う論理部５を設けたことを特徴とする。【選択図】図１
2007251719.tif 000002
【特許請求の範囲】
【請求項１】
入力された気象データと設定されたしきい値との比較を行い、しきい値を超えた場合に、カメラで撮影する映像の画質、配信レートの設定を高画質、配信レート増加の設定へ変更を行う論理部を設けたことを特徴とする気象データに連動したカメラシステム。
【発明の詳細な説明】
【技術分野】
【０００１】
本発明は、気象データに連動したカメラシステムに関するものである。
【背景技術】
【０００２】
従来、雨量、風速、水位等の気象データと監視カメラの映像は互いに独立しており、監視員が、雨量、風速、水位等の気象データを見て、必要に感じた場合に、監視カメラの設定を手動で変更して、高画質化、配信レートの増加を行っている（文献公知発明に係るものではない）。
【発明の開示】
【発明が解決しようとする課題】
【０００３】
しかしながら、手動で設定の変更を行っているため、漏れが発生する可能性がある。また変更した場合にも元に戻し忘れる等の可能性がある。さらに普段から高画質の映像を配信していると回線に負荷がかかってしまう。
【０００４】
本発明の目的は、気象データに応じて自動的に、カメラで撮影する映像の画質、配信レートを変更する、気象データに連動したカメラシステムを提供することにある。
【課題を解決するための手段】
【０００５】
本発明は、入力された気象データと設定されたしきい値との比較を行い、しきい値を超えた場合に、カメラで撮影する映像の画質、配信レートの設定を高画質、配信レート増加の設定へ変更を行う論理部を設けたことを特徴とする。
【発明の効果】
【０００６】
本発明によれば、気象データに応じて自動的に、カメラで撮影する映像の画質、配信レートを変更する、気象データに連動したカメラシステムを得ることができる。また本発明によれば、普段は回線に負荷をかけず、必要とされるときにのみ高画質の映像を配信可能とすることができる。
【発明を実施するための最良の形態】
【０００７】
本発明に係る実施の形態について、図１〜図２を用いて詳述する。
【０００８】
図１は、本発明による気象データに連動したカメラシステムの実施の形態の構成図である。
【０００９】
図１において、１はカメラ、２は画像変換部（エンコーダ）、３はネットワーク、４は気象データ装置、５は論理部である。
【００１０】
カメラ１は画像変換部（エンコーダ）２に接続され、画像変換部（エンコーダ）２はネットワーク３に接続される。気象データ装置４は論理部５に接続され、論理部５は画像変換部（エンコーダ）２に接続される。
【００１１】
カメラ１で撮影する映像は、画像変換部２にてＩＰ化され、ネットワーク３へ出力される。
【００１２】
気象データ装置４よりの雨量、風速、水位、降雪量等のデータが、論理部５へ入カされる。
【００１３】
図２は、図１における論理部５の動作を示すフローチャート図である。
【００１４】
論理部５は、定期的に気象データの取り込みを行う（Ｓ２０１）。次に、論理部５は、入力された気象データと設定されたしきい値（警戒値）との比較を行い、しきい値を超えているかを判断する（Ｓ２０２）。
【００１５】
ＮＯの場合、論理部５は、画像変換部（エンコーダ）２に対し、通常の画質、配信レートの設定を行う（Ｓ２０３）。そして、定期的に気象データの取り込みを行う（Ｓ２０１）に戻る。
【００１６】
一方、ＹＥＳの場合、論理部５は、画像変換部（エンコーダ）２に対し、高画質、配信レート増加の設定へ変更を行う（Ｓ２０４）。そして、定期的に気象データの取り込みを行う（Ｓ２０１）
本実施の形態によれば、気象データに応じて自動的に、カメラで撮影する映像の画質、配信レートを変更する、気象データに連動したカメラシステムを得ることができる。また本発明によれば、普段は回線に負荷をかけず、必要とされるときにのみ高画質の映像を配信可能とすることができる。
【図面の簡単な説明】
【００１７】
【図１】本発明による気象データに連動したカメラシステムの実施の形態の構成図である。
【図２】図１における論理部の動作を示すフローチャート図である。
【符号の説明】
【００１８】
１：カメラ、２:画像変換部（エンコーダ）、３：ネットワーク、４:気象データ装置、５:論理部。
【図１】
2007251719.tif 000003
【図２】
2007251719.tif 000004
(57)【要約】【課題】より高い安全性、信頼性のあるノンリニアバンクシステムにおけるアラームシステムを提供する。【解決手段】ＬＡＮに接続される送出コントローラ１，２と登録コントローラ３，４の各々に外部接点ボード６を実装し、送出コントローラ１，２や登録コントローラ３，４に異常が発生した時、該異常を、外部接点ボード６を通してマスター装置へ通報することを特徴とする。【選択図】図１
2007251454.tif 000002
【特許請求の範囲】
【請求項１】
ＬＡＮに接続される送出コントローラと登録コントローラの各々に外部接点ボードを実装し、前記送出コントローラや前記登録コントローラに異常が発生した時、該異常を、前記外部接点ボードを通してマスター装置へ通報することを特徴とするノンリニアバンクシステムにおけるアラームシステム。
【発明の詳細な説明】
【技術分野】
【０００１】
本発明は、ノンリニアバンクシステムにおけるアラームシステムに関するものである。
【背景技術】
【０００２】
図３は、従来のノンリニアバンクシステムにおけるアラームシステムの構成図である（文献公知発明に係るものではない）。
【０００３】
Ａ系送出コントローラ１，Ｂ系送出コントローラ２，現用登録コントローラ３，予備登録コントローラ４，監視端末５が、ＬＡＮ（Local Area Network）の規格の１つであるＥｔｈｅｒｎｅｔ（イーサネット：登録商標）に接続される。
【０００４】
監視端末５は、Ａ系送出コントローラ１，Ｂ系送出コントローラ２，現用登録コントローラ３，予備登録コントローラ４が正常に動作しているか、各ＣＰＵが正常に動作しているか等の動作の異常の有無を、Ｅｔｈｅｒｎｅｔ（イーサネット）を経由で監視し、異常が有った時、Ｅｔｈｅｒｎｅｔ（イーサネット）経由で検知して、マスター装置へ異常を示すアラームを通報するようにしている。
【発明の開示】
【発明が解決しようとする課題】
【０００５】
しかしながら、上記アラームシステムでは、Ｅｔｈｅｒｎｅｔケーブルに不具合が生じた場合などに即アラームを出力出来ないという安全性に乏しい面があった。特に送出コントローラでは直接オンエアに関わるため、より高い安全性、信頼性が求められる。
【０００６】
本発明の目的は、より高い安全性、信頼性のあるノンリニアバンクシステムにおけるアラームシステムを提供することにある。
【課題を解決するための手段】
【０００７】
本発明は、ＬＡＮに接続される送出コントローラと登録コントローラの各々に外部接点ボードを実装し、前記送出コントローラや前記登録コントローラに異常が発生した時、該異常を、前記外部接点ボードを通してマスター装置へ通報することを特徴とする。
【発明の効果】
【０００８】
本発明によれば、より高い安全性、信頼性のあるノンリニアバンクシステムにおけるアラームシステムを得ることができる。
【発明を実施するための最良の形態】
【０００９】
図１は、本発明のノンリニアバンクシステムにおけるアラームシステムの実施の形態の構成図である。
【００１０】
Ａ系送出コントローラ１，Ｂ系送出コントローラ２，現用登録コントローラ３，予備登録コントローラ４，監視端末５が、ＬＡＮ（Local Area Network）の規格の１つであるＥｔｈｅｒｎｅｔ（イーサネット）に接続される。
【００１１】
Ａ系送出コントローラ１，Ｂ系送出コントローラ２，現用登録コントローラ３，予備登録コントローラ４は、各々、ＲＡＳ（Reliability:信頼性、Availability:可用性、Serviceability:保守性）外部接点ボード６を実装している。
【００１２】
各々のコントローラ１，２，３，４は、異常が発生した時、該異常を、ＲＡＳ外部接点ボード６を通してマスター装置へ通報する。
【００１３】
図２は、図１のＲＡＳ外部接点ボード６の構成例を示す図である。
【００１４】
ＲＡＳ外部接点ボード６は、ピン６１とコントロール電源断時接点オープンスイッチ６２とコントロール電源断時接点クローズスイッチ６３を備える。ピン６１は図３ではピン番号１，２，４，５，２３が図示されている。ピン番号２に、コントロール電源断時接点オープンスイッチ６２の一端が接続され、他端はマスター装置へ接続される。またピン番号４に、コントロール電源断時接点クローズスイッチ６３の一端が接続され、他端はマスター装置へ接続される。
【００１５】
ピン番号２には、コントローラ１，２，３，４内部のメモリに格納されているソフトウェアで、コントローラ１，２，３，４の動作（プレイリスト（各放送素材の送出開始時刻、送出時間）に基づいたビデオサーバの制御が正常に行われているか否かをチェックした結果を示す信号（例えば、正常時はＨ、異常時はＬ）が出力される。この結果を示す信号に基づいて、コントロール電源断時接点オープンスイッチ６２のオンオフ制御を行い、異常時にコントロール電源断時接点オープンスイッチ６２をオンにする。
【００１６】
ピン番号４には、ＣＰＵが正常に動作しているか否かをチェックした結果を示す信号（例えば、正常時はＨ、異常時はＬ）が出力される。例えば、ＣＰＵを所定時間（例えば、３秒）ごとに１回、ウォッチドックタイマでＣＰＵの動作状態をチェックし、動作の異常が所定回数（例えば、３回）以上連続した時、異常であることを示す信号レベル（例えば、Ｌ）で出力される。この結果を示す信号に基づいて、コントロール電源断時接点クローズスイッチ６３のオンオフ制御を行い、異常時にコントロール電源断時接点クローズスイッチ６３をオンにする。
【００１７】
なお、ＣＰＵが正常に動作しているか否かをチェックした結果を示す信号（例えば、正常時はＨ、異常時はＬ）は、ピン番号４以外に、ピン番号５、ピン番号２３出力の信号を用いても構わない。
【００１８】
このことで、コントローラ１，２，３，４の動作（プレイリスト（各放送素材の送出開始時刻、送出時間）に基づいたビデオサーバの制御が正常から異常になった時、ＣＰＵが正常に動作しなくなった時など、チェックした結果の異常を示す信号Ｌのアラームを、マスター装置へ直接通報することができる。
【００１９】
したがって、本実施の形態によれば、より高い安全性、信頼性のあるノンリニアバンクシステムにおけるアラームシステムを可能とする。
【図面の簡単な説明】
【００２０】
【図１】本発明のノンリニアバンクシステムにおけるアラームシステムの実施の形態の構成図である。
【図２】図１のＲＡＳ外部接点ボードの構成例を示す図である。
【図３】従来のノンリニアバンクシステムにおけるアラームシステムの構成図である
【符号の説明】
【００２１】
１：Ａ系送出コントローラ、２：Ｂ系送出コントローラ、３：現用登録コントローラ、４：予備登録コントローラ、５：監視端末、６：ＲＡＳ外部接点ボード、６１：ピン、６２：コントロール電源断時接点オープンスイッチ、６３：コントロール電源断時接点クローズスイッチ。
【図１】
2007251454.tif 000003
【図２】
2007251454.tif 000004
【図３】
2007251454.tif 000005
(57)【要約】【課題】本物に忠実な色を再現する。【解決手段】光の三原色以外に緑と青の中間付近の光を用いて、色を忠実に再現する。【選択図】         図１
2007251318.tif 000002
【特許請求の範囲】
【請求項１】
従来の光の３原色の他に、四番目の光として概ね波長460nmから500nmの間の青の錐体と緑の錐体の感度の谷間の単波長あるいは非常に狭い幅の波長の強度も記録する装置。
【請求項２】
請求項１の第四の光も用いるカラー画像表示装置。
【発明の詳細な説明】
【技術分野】
【０００１】
本発明は、すべてのカラー画像の記録および表示装置に関する。
【背景技術】
【０００２】
従来のカラー画像表示装置は、光の三原色（赤、緑、青）で色を表現している。
【発明の開示】
【発明が解決しようとする課題】
【０００３】
図２は、透過型液晶パネルの表面の一ドット分を正面から見た図である。図２のように、従来のカラー液晶パネルでは、一つのドットを表示する為に光の三原色に相当する三つの画素、赤１、緑２、青３を使っている。しかし、三原色だけでは、自然の色をそのまま表現できない。特に一部の蛍光色や晴れた日の菜の花の黄色を忠実に表現できない。
【課題を解決するための手段】
【０００４】
図３は、人間の目の視覚細胞である三つの錐体と一つの桿体の感度曲線を表している。赤を感じる錐体の感度曲線が赤錐体５であり、緑を感じる錐体の感度曲線が緑錐体６であり、青を感じる錐体の感度曲線が青錐体７である。人間が色を認識するのは、この三つの錐体の感度ピークがそれぞれ赤、緑、青であり、それぞれの刺激の度合いによるとされている。また、桿体は図３中の桿体８のように感度が高く広い範囲の波長に敏感であり、低照度用の器官として色の認識に関与していないとされている。
【０００５】
図３の三つの錐体の感度曲線において、青と緑の間に感度の谷間が存在する。そして、桿体の感度は、ほぼこの谷間をカバーしている。この谷間の波長の光は、錐体をほとんど刺激せず、桿体だけを刺激する。従来の三原色の他に、この谷間の波長の光を加えることにより、自然と同じ色感覚を再現する。
【発明の効果】
【０００６】
実物と同じものを正確に再現できる。
【発明を実施するための最良の形態】
【０００７】
図１は、代表的なカラーCRTの画面の構成の一部である。従来の赤１緑２青３の三原色の他に、第四の空色の発光体（空４）がある。それぞれの発光体の波長域は、図４のようになる。第四の発光体（空４）は、非常に狭い波長域で発光する。
【実施例】
【０００８】
図５は、透過型液晶画面の構造例である。一ドット分を表している。バックライトには、従来の冷陰極管１０のランプとは別に第四の波長のLED（空色LED１１）を配し、表示パネルには赤１２緑１３青４の三原色のフィルターの他に第四の波長の光を通すフィルター（空１５）を設置する。
【産業上の利用可能性】
【０００９】
カラー画像の記録時の第四の色の強度を元に、三原色のデータを補正することにより、擬似的に実物に近い色を再現するデータを作成することができる。具体的には、第四の色の強度に合わせて、三原色間のコントラストを強調することにより、三原色で構成された既存の表示装置で、より本物に近い色彩感覚を擬似的に表すこともできる。
【００１０】
例えば、図６おいて曲線１６のような波長分布の色のとき、四色の記録データを棒グラフで表すと、赤１７、緑１８、青１９、空２０のような分布になる。このとき、第四の色の強度に合わせて、他の三色（三原色）の分布を赤２１、緑２２、青２３のように補正する。
【図面の簡単な説明】
【００１１】
【図１】本発明の代表的なCRT画面を正面から見て拡大した図である。光の三原色赤１、緑２、青３の他に空４の発光体が並んでいる。
【図２】通常の液晶パネルの１ドット分を正面から見た図である。光の三原色の画素がひとつの表示画素を構成してところを表している。
【図３】視覚細胞のそれぞれの感度曲線を表している。赤錐体５の感度のピークは赤の波長であり、緑錐体６の感度ピークは緑であり、青錐体７の感度ピークは青である。桿体８の感度ピークは不明瞭で幅広い波長を感じる。本特許の第４の光は、緑錐体６と青錐体７の感度の谷間の波長域９に存在する。
【図４】本特許における、各４色の発光体の波長分布を表す。光の三原色（赤１、緑２、青３）に比べて、第４の光である空４の波長分布は非常に狭いか単波長である。
【図５】本特許を用いた透過型液晶パネルを模式的に表した。光源として、通常の冷陰極管１０の他に空色のLED１１を用いる。フィルターには、三原色に相当する赤フィルター１２、緑フィルター１３、青フィルター１４の他に、空色を表す空フィルター１５を用いている。
【図６】４波長のデータを用いて擬似的に３波長で表す様子を表している。図中１６の様な波長分布を持つ色を表現するとき、４波長の分布を棒グラフで表すと赤１７、緑１８、青１９、空２０のようになる。このデータを元に擬似的に三原色であらわすと、赤２１、緑２２、青２３というようになる。
【符号の説明】
【００１２】
１  赤
２  緑
３  青
４  空（色）
５  赤錐体の感度曲線
６  緑錐体の感度曲線
７  青錐体の感度曲線
８  桿体の感度曲線
９  第４の色の波長域
１０冷陰極管
１１空色LED
１２赤フィルター
１３緑フィルター
１４青フィルター
１５空（色）フィルター
１６例の光（色）の波長分布曲線
１７赤色の光の強度
１８緑色の光の強度
１９青色の光の強度
２０空色の光の強度
２１空色の光の強度を元にコントラストを上げた赤色の光の強度
２２空色の光の強度を元にコントラストを上げた緑色の光の強度
２３空色の光の強度を元にコントラストを上げた青色の光の強度
【図１】
2007251318.tif 000003
【図２】
2007251318.tif 000004
【図３】
2007251318.tif 000005
【図４】
2007251318.tif 000006
【図５】
2007251318.tif 000007
【図６】
2007251318.tif 000008
(57)【要約】  【課題】  生ごみを確実に捕集し、水のあふれにくい水切り用生ごみ袋を提供する。  【解決手段】  不織布で成る袋状下部材１と該袋状下部材１の上端に接続した網目シートでなる筒状上部材２とで構成する。【選択図】    図２
2007084321.tif 000002
【特許請求の範囲】
【請求項１】
ストレーナー、三角コーナーなどの有底枠に収容して用いる水切り用生ごみ袋において、不織布で成る袋状下部材と該袋状下部材の上端に接続した、網目シートで成る筒状上部材とで成り、前記袋状下部材の深さを前記有底枠の深さより浅くした、水切り用生ごみ袋。
【発明の詳細な説明】
【技術分野】
【０００１】
本発明は、流し台に装置した、ストレーナー、三角コーナーなどの有底枠に収容して用いる、水切り用生ごみ袋に関するものである。
【背景技術】
【０００２】
流し台に装置したストレーナーなどに用いる水切り用生ごみ袋は、不織布を素材とするものは、生ごみの捕集は良好であるが、水切れが悪く、このためストレーナーなどの有底枠に収容した当該ゴミ袋に対するごみを含んだ水は該ごみ袋から簡単にあふれ出るため、その流し込みに留意する必要があった。
【０００３】
そして、不織布を素材とした水切り用生ごみ袋の斯様な欠点に着目し、当該生ごみ袋に複数の孔を形成したものが提案されている（例えば、特許文献１）。
【０００４】
【特許文献１】特開平５−１３２１０３号公報
【発明の開示】
【発明が解決しようとする課題】
【０００５】
しかしながら、前記具体例は、孔を設けることにより、水切り速度は増大するとしても、不織布固有の機能が損なわれる、という問題点がある。
【０００６】
本発明は斯様な従来例の欠点に着目して創案したものである。
【課題を解決するための手段】
【０００７】
ストレーナー、三角コーナーなどの有底枠に収容して用いる水切り用生ごみ袋において、不織布で成る袋状下部材と該袋状下部材の上端に接続した、網目シートで成る筒状上部材とで成り、前記袋状下部材の深さを前記有底枠の深さより浅くした構成とするのである。
【発明の効果】
【０００８】
本発明によれば、汚水の流し込みによってストレーナー等の有底枠からあふれ出るのを防ぎ、従って、あふれ出ることによる生ごみの飛散を防止し、不織布を素材とした生ごみ用水切り袋特有の捕集性が損われることのない水切り袋を提供できる。
【実施例】
【０００９】
図面は本発明に係る水切り用生ごみ袋の一実施例を示し、図１は、斜視図、図２は使用状態を示す断面図である。
【００１０】
本発明に係る水切り用生ごみ袋Ａは、不織布で成る袋状下部材（上端開口の袋体）１の上端に網目シートで成る筒状上部材２を接続して構成した上端開口の袋体で成り、前記袋状下部材１の深さを、流し台に装置したストレーナーや三角コーナーなどの有底枠Ｓの深さより浅くして構成したものである。
【００１１】
そして、有底枠Ｓ（図面はストレーナーを示す）に袋状下部材１側を収容し、筒状上部材２側を前記有底枠Ｓの上端開口縁を包むように折返して有底枠Ｓ組付けて用いるのである。
【００１２】
この使用状態時に有底枠Ｓ内に野菜などの生ごみを含んだ汚水を流し込むと当該汚水は、有底枠Ｓからあふれる前に、有底枠Ｓ上端側に配した網目シートで成る筒状上部材を通じて生ごみが袋Ａ（有底枠Ｓ）内に残存した状態で排出されることになる。
【図面の簡単な説明】
【００１３】
【図１】斜視図。
【図２】使用状態を示す断面図。
【符号の説明】
【００１４】
１      袋状下部材
２      筒状上部材
【図１】
2007084321.tif 000003
【図２】
2007084321.tif 000004
(57)【要約】【課題】  パソコンプリンター等に残ったコピー紙を再使用しやすく整理収納しておく箱を提供する。【解決手段】コピー紙を収納する箱（１）の側面に出し入れ口（２）を設け、その上端部に自然とコピー紙（６）の角が揃うように、斜めに吊るすための吊り下げ部（３）を設ける。またコピー紙を収納する箱（１）のおもて面には、バネ板部（４）を設けコピー紙（６）が前倒れしないように常に箱内側方向へバネ圧がかかるようにし、さらにコピー紙（６）を大きさ別に出し入れしやすいように仕切り板（５）を着脱自在に設けたことを特徴とする。【選択図】  図１
2007084335.tif 000002
【特許請求の範囲】
【請求項１】
コピー紙を収納する箱（１）の側面に出し入れ口（２）を設け、その上端部に斜めに吊り下げるための吊り下げ部（３）を設け、コピー紙を収納する箱（１）のおもて面にバネ板部（４）を設け、コピー紙を収納する箱（１）の中にコピー紙（６）を大きさ別に仕切るための仕切り板（５）を設けたコピー紙収納整理箱。
【発明の詳細な説明】
【技術分野】
【０００１】この発明は、コピー紙を収納整理しておくための箱に関するものである。
【背景技術】
【０００２】従来は、パソコンプリンター等に残ったコピー紙は適当な保管場所を設け、大きさの違うコピー紙を都度、上から重ねていた。
【発明の開示】
【発明が解決しようとする課題】
【０００３】  これには、次のような欠点があった。
（イ）  使用したい大きさのコピー紙を重ねてある中から探さねばならない。
（ロ）  一目でそれぞれの大きさのコピー紙の在量がわからない。
（ハ）  コピー紙の角が揃ってないので揃え直さないといけない。
（ニ）  重ねるのでコピー紙がシワになりやすい。
本発明は、これらの欠点を除くためになされたものである。
【課題を解決するための手段】
【０００４】  コピー紙を収納する箱（１）の側面に出し入れ口（２）を設け、その上端部に斜めに吊るすための吊り下げ部（３）を設ける。コピー紙を収納する箱（１）のおもて面にバネ板部（４）を設け、さらにコピー紙（６）を大きさ別に仕切るための仕切り板（５）を着脱自在に設ける。
本発明は、以上の構成よりなるコピー紙収納整理箱である。
【発明の効果】
【０００５】  コピー紙が大きさ別に仕切られているので出し入れしやすいとともに必要とする用紙の大きさを識別しやすく在量も一目で確認でき、角がきれいにそろって収納されるので出してそのまま使えるし、シワにもならない。
【発明を実施するための最良の形態】
【０００６】  以下、本発明の実施の形態について説明する。
（イ）  コピー紙を収納する箱（１）の側面に出し入れ口（２）を設ける。
（ロ）  出し入れ口（２）の上端部に、収納したコピー紙（６）の角が揃うように、斜めに吊るすための吊り下げ部（３）を設ける。
（ハ）  コピー紙を収納する箱（１）のおもて面に、コピー紙（６）が倒れないようバネ圧が箱内内側方向へ常にかかるバネ板部（４）を設ける。
（ニ）  コピー紙を収納する箱（１）の中にコピー紙（６）を大きさ別に仕切るための仕切り板（５）を着脱自在に設ける。
本発明は、以上のような構造で、これを使用するときは、壁面等に吊り下げ部（３）により吊るし、コピー紙（６）の大きい方から、コピー紙を収納する箱（１）の背面側より順に、仕切り板（５）を挿めて収納する。
また、本発明の他の実施例として、コピー紙を収納する箱（１）を壁などに吊り下げる際、側面に設けた出し入れ口（２）が左向き、右向き、どちら側からでも便利な方向で吊り下げられるように、バネ板部（４）を着脱自在の構成にすることも考えられる。    （図示せず。）
【図面の簡単な説明】
【０００７】
【図１】本発明の概要を表す斜視図
【図２】本発明の使用状態を表す斜視図
【図３】本発明の内部を表す断面図
【図４】本発明の使用状態の内部を表す断面図
【符号の説明】
【０００８】    １  コピー紙を収納する箱
２  出し入れ口
３  吊り下げ部
４  バネ板部
５  仕切り板
６  コピー紙
【図１】
2007084335.tif 000003
【図２】
2007084335.tif 000004
【図３】
2007084335.tif 000005
【図４】
2007084335.tif 000006
(57)【要約】【課題】軽量なる特長を有する注入材を作液しようとする時、骨材に軽い材料を使用する方法と、エアーを混入させる方法が考えられ、これに拠らなければならなかった。このため、コストアップを招くか製品の比重を一定に保つことが困難であった。【解決の手段】比重の軽い木片チップを骨材に使用することで、この課題を克服したものである。しかし、木片を作液中に均等に混合する事はその大きさと浮力の為、困難であった。そこで、ベントナイトの膨潤化の特性を利用し木片を分散させた注入材としたものである。【特許請求の範囲】
【請求項１】
ベントナイトを水で膨潤させた後、セメントを添加することで固結する特徴を有する注入材に更に木片を添加することで強度低下と比重低減を図りこれを特長とした注入材。
【発明の詳細な説明】
【技術分野】
【０００１】本発明は、軽量であることを特長とした注入材の配合の一つである。
【背景技術】
【０００２】構造物の背面或いは構造上の空間に充填される注入材で、構造物自身の重量を増やす事が少なく、注入材の体積が大きく変化することの無いことを特長とした注入材を必要とされる。【０００３】注入材を軽くする為には、軽量な骨材を用いるか或いは注入材に空気を取り込むことでこれを満たしていた。【０００４】見かけの比重が０．２５である木片を骨材に出来れば軽量な注入材を得られることは容易に考えられるが、その浮力の為注入材全体に均等に混合することが困難であった。【０００５】この均等混合を以下の配合を参考に考案したものである。
【特許文献１】特開２００４−１９０２７３号公報
【特許文献１】特開平９−２６８０４３号公報
【発明の開示】
【発明が解決しようとする課題】
【０００６】木片を骨材に使い、これを以下の配合で混ぜ合わせることにより軽量で均質なる特長を有する注入材としたものである。【０００７】セメント及びベントナイトのｍ３当たり配合を別添の様に行い均一に混合でき所定の強度を得られるようにした。【０００８】木片は必ずしも新材の必要も無いので、廃材間伐材を使用し木材の有効利用を図れるようにした。
【課題を解決するための手段】
【０００９】本発明は、軽量で水に浮いてしまう木片をベントナイトの膨潤により得られた粘性により配合内全体に拡散し固結するまで位置関係を保つことを特徴とした。
【発明の効果】
【００１０】本発明は、従来比重が違うため水中で均等に混合することの出来なかった木片をベントナイト溶液で包み込み均等に固結するまで分散させることができるような特徴を有するようにした。【００１１】計量した水にまず最初にベントナイトを入れよく撹拌しベントナイトを完全に膨潤させる。
この溶液にセメントを混入しその後更に木片ダストを加え撹拌する。
【実施例１】
【００１２】実施例の１例として、ｍ３当り配合は以下に示す。
セメント                ２００ｋｇ
ベントナイト              ５０ｋｇ
木片ダスト              １７０ｋｇ
水                      ６１０ｋｇ
この結果の強度は以下の通りです。
１日強度      ３日強度      ７日強度      単位
０．０６      ０．１３      ０．１８      （Ｎ／ｍｍ２）
【実施例２】
【００１３】実施例１の結果を踏まえた実施例２のｍ３当たりの配合を以下に示す。
【表１】
2007084415.tif 000002
【実施例３】
【００１４】実施例２の結果を踏まえた実施例３のｍ３当たりの配合を以下に示す。
【表２】
2007084415.tif 000003
(57)【要約】【課題】極く単純な構造を付加することで簡便に使用できる、キー操作遮蔽カバーを兼ねた帽子を提供する。【解決手段】帽子１の上面にほぼアーチ形の切開線５を設けて、この切開線内側の上面部分を切開線両端まわりで折り返して開口を形成できることとした。キー操作盤上に帽子を載せた状態で同開口を形成して、この開口からキーを視認しつつ帽子内に手を挿入してキー操作可能とした。開口以外の帽子部分でキー操作が他人から遮蔽され、暗証番号の盗み見が防がれる。【選択図】図１
2007084978.tif 000002
【特許請求の範囲】
【請求項１】
ほぼアーチ形の切開線（５）を上面に具備し、キー操作盤（Ｂ）上に載せた状態で同切
開線（５）内側の上面部分を切開線両端まわりで折り返すことによって外部からのキー（
Ｋ）の視認を可能とする開口（７）を形成するものに構成してなる、キー操作遮蔽カバー
を兼ねた帽子。
【発明の詳細な説明】
【技術分野】
【０００１】
この発明は金融機関の現金自動出入機（ＡＴＭ）等で暗証番号を打ち込むキー操作に際
し、同操作を遮蔽するカバーとして用いることができるキー操作遮蔽カバーを兼ねた帽子
に関するものである。
【背景技術】
【０００２】
上記のようなキー操作に際し他人に暗証番号を盗み見されて問題が生じることを防ぐた
め、キー操作を遮蔽するカバーを設けることが公知である。そして従来のカバーはキー操
作遮蔽カバー専用のものに形成して、ＡＴＭ等のキー操作盤に一体的に付設されている。
【特許文献１】特公平５−８４４４号公報
【特許文献２】特開２００１−３２５６６５号公報
【特許文献３】特開２００３−１９６５９５号公報
【発明の開示】
【発明が解決しようとする課題】
【０００３】
この発明は極く単純な構造を付加することによりキー操作遮蔽カバーを兼ねるものとし
た帽子を提供して、簡便に使用できるようにするものである。
【課題を解決するための手段】
【０００４】
この発明のキー操作遮蔽カバーを兼ねた帽子は、ほぼアーチ形の切開線（５）を上面に
具備し、キー操作盤（Ｂ）上に載せた状態で同切開線（５）内側の上面部分を切開線両端
まわりで折り返すことによって外部からのキー（Ｋ）の視認を可能とする開口（７）を形
成するものに構成される。
【０００５】
この発明に係る帽子をキー操作遮蔽カバーとして用いるにはキー操作盤上に帽子を載せ
、切開線（５）内側の上面部分を切開線両端まわりで折り返して開口（７）を形成し、同
開口からキーを視認しつつ帽子内に手を挿入してキー操作を行う。同操作は開口以外の帽
子部分で他人から遮蔽され、暗証番号の盗み見が防がれる。
【０００６】
この発明は帽子に、切開線の付設といった極く単純な構造でキー操作遮蔽カバーとして
の機能を持たせたもので、遮蔽カバーとして簡便に使用できる帽子を提供できた。なお切
開線（５）が本来の帽子としての使用に不都合をもたらす虞れがあれば、帽子としての使
用時には同切開線を閉鎖しておくスライドファスナ、ボタン或いはホック等の開閉具を設
けることができる。
【実施例１】
【０００７】
図１，２には、この発明の第１の実施例に係る帽子１を示してある。布製の帽子１は図
１に示すように円形の上面２、この上面２に若干末広がり状に連なる周面３、及び周面３
の下端から末広がり状に延びる鍔４を有する。上面２には周面３との境界でほぼアーチ形
の切開線５が設けられ、また本実施例では、周方向でみて切開線５の中央に相当する部分
で鍔４には切欠き６が設けられている。
【０００８】
図２においてＢはＡＴＭ等のキー操作盤を示すが切開線５は、帽子１をキー操作盤Ｂ上
に載せた状態で切開線５の内側の上面部分を切開線５の両端まわりで折り返すことによっ
て形成される開口７を通し、キー操作盤Ｂ上のキーＫを外部から視認できるように形成さ
れている。
【０００９】
帽子１をキー操作遮蔽カバーとして用いるには図２に示すようにキー操作盤Ｂ上に帽子
１を載せ、片方の手Ｈａで切開線５内側の上面部分を摘まみ同部分を引き上げて開口７を
形成し、もう片方の手Ｈｂを切欠き６から帽子１内に挿入し、例えば４個といった所定の
キーＫを順次操作して暗証番号を打ち込む。なお切欠き６がなくても帽子１の下縁から同
帽子１内に手を挿入してキー操作を行うことは可能であり、したがってこの切欠き６を設
けることは必須ではない。
【実施例２】
【００１０】
図３には、この発明の第２の実施例に係る帽子１０を示してある。布製の帽子１０はほ
ぼ半球状のものに形成され、庇１１を有する。帽子１０の上面２にはほぼアーチ形の切開
線５が設けられ、本実施例ではこの切開線５をスライドファスナ１８によって開閉自在と
している。１８ａは、同ファスナ１８の開閉具を示す。第１の実施例で設けた切欠き６に
相当するものは、設けられていない。
【００１１】
切開線５は第１の実施例におけるのと同様に形成されており、スライドファスナ１８を
開放した状態で帽子１０をキー操作盤上に載せ、切開線５内側の部分を切開線両端まわり
で折り返して前記のもの同様の開口を形成すると共に、キー操作盤上で帽子１０の下縁か
ら帽子内に手を挿入してキー操作を行う。
【図面の簡単な説明】
【００１２】
【図１】第１の実施例に係る帽子を示す斜視図である。
【図２】図１に示した帽子を、キー操作遮蔽カバーとして用いた状態を示す斜視図である。
【図３】第２の実施例に係る帽子を示す斜視図である。
【符号の説明】
【００１３】
１，１０          帽子
５                切開線
７                開口
１８              スライドファスナ
Ｂ                キー操作盤
Ｋ                キー
【図１】
2007084978.tif 000003
【図２】
2007084978.tif 000004
【図３】
2007084978.tif 000005
(57)【要約】【課題】畠や庭の草取り用にビニール製の膝当て脚絆を提供する【解決手段】本考案の膝当て脚絆は、膝当ての中央部に摘み襞を設けて臑当てと合成樹脂板で繋ぎ、ゴム長靴の上部にドットボタンの雄を設け臑当て下部ににドットボタン雌を設けて接続、着脱を自在にして、ゴム長靴、臑当て、膝当てが繋がり一体化して臑当てベルトで足に装着固定した後、膝を折り曲げて、膝当てビニールの摘み襞の上端を股にあてがって、左右の側面から襞部に向けて出来る余分なビニールを折り曲げた膝の形状に合せて摘み折り曲げて、下のビニールにカシメ止めし、摘み襞の上端は合成樹脂板をあてがい裏面にマジックテープを取り付けた合成樹脂板で挟んでカシメ止めする。上記の構成を特徴とする、畠や庭の草取り用ビニール製膝当て脚絆。【選択図】図３
2007084985.tif 000002
【特許請求の範囲】
【請求項１】
ａ．臑当てに透明ビニール２ｍｍ厚、膝当てに透明ビニール０．５ｍｍ厚を用い、膝当ては臑当てより幅広のビニールを用い、膝当ての中央部両側より真ん中に向け、摘み襞を設け、臑当てと膝当てを同じ幅にし、臑当ての上端と膝当ての下端を、重ね合わせて合成樹脂板でカシメ止めし臑当てと膝当てを繋ぐ、ｂ．ゴム長靴の上部にドットボタンの雄を設け臑当て下部にドットボタン雌を設けてゴム長靴と臑当てを、ドットボタンで接続、着脱自在にし、ｃ．臑当ての上部にふくらはぎを介して臑当てを装着固定するベルトを設ける、ｄ．膝当ては前記一体化したゴム長靴、臑当て、膝当てを臑当てに設けたベルトで足に装着固定した後、膝を折り曲げて、膝当ての摘み襞の上端を股にあてがい、膝当てビニールの左右側面から中央部摘み襞に向けて出来る余分なビニールを膝の形状に合わせ摘み折り曲げ、下のビニールと合わせ合成樹脂板でカシメ止めする、ｅ．膝当ての中央部摘み襞の上端は合成樹脂板をあてがって裏面にマジックテープを取り付けた合成樹脂板で挟んでカシメ止めする、以上の構成よりなる畠や庭の草取り用ビニール製膝当て脚絆。
【発明の詳細な説明】
【技術分野】
【０００１】本発明は、透明ビニールを用いた畠や庭の草取り用膝当て脚絆に関するものである
【背景技術】
【０００２】従来、脚絆として布製、ゴム製、皮革製があった
【発明の開示】
【発明が解決しようとする課題】
【０００３】そのために次のような問題点があった。
（イ）雨上がりの湿った土に膝をついて草取り作業をする場合湿りが浸透し着衣が濡れたり泥んこに汚れたりという不都合があった。
（ロ）膝をついた作業のため脚絆の泥汚れがひどく、それを洗濯するのに労力と時間が掛かった。
本発明は、これらの問題を解決するためになされたものである。
【課題を解決するための手段】
【０００４】臑当てに透明ビニール２ｍｍ厚、膝当てに透明ビニール０．５ｍｍ厚を用いる。膝当ては臑当てより幅広のビニールを用い、膝当ての中央部両側より真ん中に向け摘み襞を設け、臑当てと膝当てを同じ幅にして、臑当ての上端に膝当ての下端を重ね合わせて合成樹脂板でカシメ止めし臑当てと膝当てを繋ぐ。ゴム長靴の上部にドットボタンの雄を設け臑当て下部にドットボタン雌を設けてゴム長靴と臑当てを、ドットボタンで接続、着脱自在にする。臑当ての上部にふくらはぎを介して臑当てを装着固定するベルトを設ける。膝当ては前記一体化したゴム長靴、臑当て、膝当てを臑当てに設けたベルトで足に装着固定した後、膝を折り曲げて膝当ての摘み襞部の上端を股にあてがって膝当てビニールの左右側面から中央部摘み襞に向けて出来る余分なビニールを膝の形状に合わせ摘み折り曲げ下のビニールと合わせ合成樹脂板でカシメ止めする。膝当ての中央部摘み襞の上端は合成樹脂板をあてがって裏面にマジックテープを取り付けた合成樹脂板で挟んでカシメ止めする。
以上の構成よりなる畠や庭の草取り用ビニール製膝当て脚絆
【発明の効果】
【０００５】（イ）ビニール製脚絆を付ければ、雨上がりの湿ったときでも膝をついて草取りができ着衣が濡れたり泥土が付着しない。
（ロ）ゴム長靴と臑当てをドットボタンで接続したので歩いても脚絆がズレ落ちない。
（ハ）ビニール製脚絆を付け膝を付いた草取りは、長時間の作業ができ肉体的疲労を感じない。
（ニ）脚絆がビニール製なので洗濯が容易で水洗いで簡単に汚れを落とせる。
【発明を実施するための最良の形態】
【０００６】以下本発明の実施形態について説明する。
（イ）臑当て（１）に透明ビニール２ｍｍ厚、膝当て（２）に透明ビニール０．５ｍｍ厚を用いる。膝当ては臑当てより幅広のビニールを用い、膝当ての中央部両側より真ん中に向けて摘み襞（３）を設け、臑当てと膝当てを同じ幅にし、臑当ての上端と膝当ての下端を膝当てを上にし、重ね合わせて合成樹脂板（４）でカシメ止め（５）し臑当てと膝当てを繋ぐ。
（ロ）ゴム長靴（６）の上部にドットボタンの雄（７）を設け臑当て下部にドットボタン雌（８）を設けてゴム長靴と臑当てを、ドットボタンで接続、着脱自在にする。
（ハ）臑当ての上部にふくらはぎを介して、臑当てを装着固定するベルト（９）を設けるベルトは片端をカシメ止め（１０）し、ドットボタン（１１）で止める。
（ニ）膝当ては前記一体化したゴム長靴、臑当て、膝当てを臑当てに設けたベルトで足に装着固定した後、膝を折り曲げて膝当ての摘み襞部の上端を股にあてがい膝当ての左右側面から中央部摘み襞に向けて出来る余分なビニールを膝の形状に合わせ摘み折り曲げ（１２）下のビニールと合わせ合成樹脂板（１３）でカシメ止め（１４）する。
（ホ）膝当ての中央部摘み襞の上端（１５）は合成樹脂板（１６）をあてがって裏面にマジックテープを取り付けた合成樹脂板（１７）で挟んでカシメ止（１８）めする。
本発明の膝当て脚絆を装着しての畠や庭の草取りは膝の負担がかからず長時間の作業ができ、肉体的疲労を感じない。
【図面の簡単な説明】
【０００７】
【図１】本発明の臑当てと膝当てを合成樹脂板で繋いだ斜視図
【図２】本発明のゴム長靴上部のドットボタン雄を設けた斜視図
【図３】本発明の実施形態における膝当て脚絆の全体の斜視図
【符号の説明】
【０００８】１  臑当て
２  膝当て
３  摘み襞
４  合成樹脂板
５  カシメ止め
６  ゴム長靴
７  ドットボタン雄
８  ドットボタン雌
９  ベルト
１０  カシメ止め
１１  ドットボタン
１２  摘み折り曲げ
１３  合成樹脂板
１４  カシメ止め
１５  摘み襞上端
１６  合成樹脂板
１７  マジックテープを取り付けた合成樹脂板
１８  カシメ止め
【図１】
2007084985.tif 000003
【図２】
2007084985.tif 000004
【図３】
2007084985.tif 000005
(57)【要約】【課題】よく汗をかく首筋に触れる、襟付きシャツの襟に装着できる外観上違和感を与えないハンカチを得ること。【解決手段】ハンカチを横長に順次折りたたむことでできる長方形が襟形状になるように、ハンカチの対面する２辺を、左右対称形の山形、谷形、又は台形に成形して剣先の形状になるようにしたことを特徴とする。【選択図】図１
2007084986.tif 000002
【特許請求の範囲】
【請求項１】
ハンカチを横長に順次折りたたむことによってできる長方形が襟の形状になるように、ハンカチ布（１）の対面する２辺（２）を、左右対称形の山形、谷形（３）又は、台形に成形して剣先（４）の形状になるようにしたことを特徴とする付け襟になるハンカチ。
【請求項２】
前記記載の２辺（２）の左右対称形となる山形、谷形（３）を、他の別布で縫合、又は接着した複合布で構成された請求項１記載の付け襟になるハンカチ。
【発明の詳細な説明】
【技術分野】
【０００１】  この発明は折りたたむことで襟の形状になり、襟に装着するハンカチに関するものである。
【背景技術】
【０００２】従来、ハンカチは四角形の正方形で、折りたたんで携帯し、手や顔を拭いたり、汗を拭いたりするだけに使用されるもので、よく汗をかく首筋も、その都度ハンカチをはさみ込んだまま汗取りをしていた。しかし、これでは外見上ハンカチである事が明白であり、人前では見苦しく、いわゆるファッション性に欠けるという問題があった。
【発明の開示】
【発明が解決しようとする課題】
【０００３】本発明はこのような問題に鑑み、襟に装着しても違和感なくデザインされたハンカチを提供するものである。
【課題を解決するための手段】
【０００４】ハンカチ布（１）の対面する２辺（２）を、左右対称形となる山形、谷形（３）又は台形に成形したハンカチとする。これを横長に順次折りたたみ、最後の折りたたみの時に長方形の長辺の中央部をせまく、剣先（４）となる短辺を広くなるようにたたみ込むことで襟形状になり、シャツの襟に装着しても違和感を与えることのないハンカチとなる。
【発明の効果】
【０００５】よごれの首輪の元となる襟汗取りや、糊のきいたワイシャツの襟ずれ防止のために装着するが、外観的に襟形状であるため違和感がない。【０００６】本来ハンカチであるので、色や柄もファッション性の有るものでできるので数枚持っていると、１着の襟付きシャツで幾通りもの襟色、襟柄ができ、形状についても、ボタンダウンシャツの襟に変化させることができるし、襟なしのスタンドカラーシャツにも装着することができる。【０００７】又、図９に示すような他の別布を組み合わせることにより、肌に触れる部分を吸水性のある布で、シャツの襟に当たる部分は撥水性のある布で分ければ、シャツの襟よごれもだいぶ緩和することができる。
【発明を実施するための最良の形態】
【０００８】発明の実施の形態を実施例に基づき図面を参照して説明する。
【実施例】
【０００９】図１、３、５及び７は、本発明の第１の実施例を示すハンカチの平面図である。ハンカチ布（１）の対面する２辺（２）を、剣先（４）の形状となる左右対称形の山形、谷形（３）又は台形に成形した多角形のハンカチ例である。【００１０】図２、４、６及び８は、使用工程を示す図であり、この多角形のハンカチを横に８等分し、（ａ−１）に示すように横長に折りたたみ、（ａ−２）に示す最後の折りたたみは長方形の長辺の中央部をせまく、剣先（４）となる短辺が広くなるライン（６）で折りたたみことで、（ａ−３）に示す襟形状となり、これを（ａ−４）に示すように折り曲げて（ａ−５）に示す襟付きシャツ（７）の襟に装着する。【００１１】このハンカチ布（１）の大きさは、図１〜図８中にある横幅Ｌ１の寸法を首廻りの長さとし、等分の縦巾Ｌ２の寸法を襟の高さとする。【００１２】尚、前記図中では８等分の折りたたみとしているが、襟に装着することを目的としているので、２つ折り以上であればよく、図１，３，５及び７にあるハンカチの総縦巾Ｌ３は、折りたたみ回数により決める。【００１３】図９は、本発明の第２の実施例を示すハンカチの平面図である。多角形のハンカチの形状は、第１の実施例と同一であるが、山形、谷形となる部分を、他の別布（９）、（１０）、で縫合（８）、又は接着した複合布で構成した例である。
【図面の簡単な説明】
【００１４】
【図１】本発明の第１の実施例を示すハンカチの平面例１
【図２】（ａ−１），（ａ−２）、（ａ−３）、（ａ−４）折りたたみを示す図（ａ−５）装着を示す図
【図３】本発明の第１の実施例を示すハンカチの平面例２
【図４】（ａ−１），（ａ−２）、（ａ−３）、（ａ−４）折りたたみを示す図（ａ−５）装着を示す図
【図５】本発明の第１の実施例を示すハンカチの平面例３
【図６】（ａ−１），（ａ−２）、（ａ−３）、（ａ−４）折りたたみを示す図（ａ−５）装着を示す図
【図７】本発明の第１の実施例を示すハンカチの平面例４
【図８】（ａ−１），（ａ−２）、（ａ−３）、（ａ−４）折りたたみを示す図（ａ−５）装着を示す図
【図９】（ｂ−１）、（ｂ−２）、（ｂ−３）、（ｂ−４）、（ｂ−５）、（ｂ−６）、（ｂ−７）本発明の第２の実施例を示すハンカチの平面例
【符号の説明】
【００１５】１    ハンカチ布
２    対面する２辺
３    左右対称形となる山形、谷形
４    剣先
５    折りたたみライン
６    襟形状となるライン
７    襟付きシャツ
８    縫合部
９    他の別布Ａ
１０  他の別布Ｂ
【図１】
2007084986.tif 000003
【図２】
2007084986.tif 000004
【図３】
2007084986.tif 000005
【図４】
2007084986.tif 000006
【図５】
2007084986.tif 000007
【図６】
2007084986.tif 000008
【図７】
2007084986.tif 000009
【図８】
2007084986.tif 000010
【図９】
2007084986.tif 000011